(57)【要約】【課題】  製造上の手間及びコストを低減した性能の良い起き上がりだんご玉を提供する。【解決手段】  長軸方向の両端部が曲面で構成されたまゆ玉のような本体を有しており、その内部にて長軸方向へ移動可能なおもりを組み入れた玩具であって、ほぼ球状を有し、一部に開口１４、１４を設けた同型の２個の外殻部材１１、１１と、外殻部材１１、１１の内部にあって、おもり１３の移動路を構成する円筒部１２、及び円筒部１２の中に移動可能に組み入れたおもり１３とから成ることを特徴とする。【選択図】          図４
0003102206.tif 000002
【実用新案登録請求の範囲】
【請求項１】
長軸方向の両端部が曲面で構成されたまゆ玉のような本体を有し、その内部にて長軸方向へ移動可能なおもりを組み入れた玩具であって、ほぼ球状を有し一部に開口を設けた同型の２個の外殻部材と、外殻部材の内部にあって、おもりの移動路を構成する円筒部、及び円筒部の中に移動可能に組み入れたおもりとから成ることを特徴とする起き上がりだんご玉。
【請求項２】
円筒部は、２個の外殻部材とは独立した部材であって、外殻部材の開口に嵌め込んで２個の外殻部材を結合一体化する結合部材を兼ねている請求項１記載の起き上がりだんご玉。
【請求項３】
円筒部は、２個の外殻部材の内面を形成しており、２個の外殻部材を結合一体化したときに、おもりが往き来する単一の移動路となる請求項１記載の起き上がりだんご玉。
【考案の詳細な説明】
【技術分野】
【０００１】
本考案は、起き上がり小法師のように、常に自立する起き上がりだんご玉に関するものである。
【背景技術】
【０００２】
起き上がり小法師のように自立し、かつ転がらせると、内蔵しているおもりの移動により、ヒョコヒョコと特徴的な動きをする揺動玩具は周知のものであるが、２個の部品を一体に組み立てるために接続構造が必要であり、そのため構造の異なる部分を有する２種類の部品が必要になる。これらの部品は、通常、プラスチックで型成形するため２種の金型を製作しなければならず、また、内部に、おもりを移動可能とする構造を型成形する必要もあり、外形が単純であるにも拘ず製造にかかる手間とコストが大きいという問題があった。
【０００３】
【特許文献１】実開平６−３９０８３号
【考案の開示】
【考案が解決しようとする課題】
【０００４】
本考案は前記の点に着目してなされたもので、その課題は、製造上の手間及びコストを低減した性能の良い起き上がりだんご玉を提供することである。
【課題を解決するための手段】
【０００５】
前記の課題を解決するため本考案は、長軸方向の両端部が曲面で構成されたまゆ玉のような本体を有し、その内部にて、長軸方向へ移動可能なおもりを組み入れた玩具であっ
て、ほぼ球状を有し一部に開口を設けた同型の２個の外殻部材と、外殻部材の内部にあって、おもりの移動路を構成する円筒部、及び円筒部の中に移動可能に組み入れたおもりとから構成するという手段を講じたものである。円筒部は、２個の外殻部材とは独立した部材であっても良いし、或いは外殻部材の内面に形成されていても良い。
【０００６】
この種の玩具は、前記のように２種類の部品設計が必要であったが、本発明の１例で
は、円筒部として独立の部材を用いるときは、同型の２個の外殻部材を使用し、これらを結合部材によって一体化する構成とすることができる。しかもその結合部材の中に、おもりが組み入れられ、つまり、結合部材を、おもりの移動させる構造部分としても使用するので、外殻部材にはおもりを移動させる構造を型成形する必要がない。
【０００７】
また、本発明の他の例として、２個の外殻部材の内面に円筒部を形成したときには、円筒部材は当然不要である。この場合２個の外殻部材に結合部を設ける必要上、２部品は僅かに異なるものとなる。
【０００８】
従って、外殻部材と結合部材の２種類の部品で本考案の起き上がりだんご玉が完成し、またその外殻部材は単純な球状で良く、結合部材は円筒状で良く、おもりも球状で良いので、製造上の技術的困難性はない。おもり以外の各部品はプラスチック成形によって得られ、組みたて上必要な手間やコストも著しく低減される。なお外殻部材の球状は真球でなくても良い。
【０００９】
この内、２個の外殻部材は、インジェクションによって製造する必要性はそれほどな
く、ブロー成形法、或いはソフト成形法その他任意の成形法で成形したものを使用することができる。その理由は、製品の取り出しが容易だからである。これに対して移動路の円筒部は、単純な形状であるので、インジェクションによって成形したものを使用することが望ましい。それは変形がないという理由による。
【００１０】
ほぼ球状の外殻部材を２個結合するので、本考案の起き上がりだんご玉は、串刺しのだんご状ないしはまゆ玉のような外形を有することになる。これが、だんご玉と称する所以である。
【００１１】
本考案の起き上がりだんご玉の表面には、任意の意匠、装飾、着色、図柄を形成することができる。動物や人形などの模様を描けば、本考案の起き上がりだんご玉を転がらせると正立と倒立を繰り返しながら移動するように見える（図３参照）。
【考案の効果】
【００１２】
本考案は以上の如く構成されかつ作用するものであるから、製造が著しく容易であり、手間及びコストを著しく低減することができるとともに、２個の外殻部材の内部に移動路を構成する円筒部を正確に設けることができるので動的な性能が良い、という効果を奏する。
【考案を実施するための最良の形態】
【００１３】
以下図示の実施形態を参照して本考案をより詳細に説明する。図１、図２において、１０は本考案の起き上がりだんご玉の実施形態の例１を示しており、これは、同型の２個の外殻部材１１、１１と、それらを結合する結合部材１２とを組み合わせ、内部に鋼製のおもり１３を組み入れた構成を有している。結合部材１２の内部は、おもり１３の移動路も兼ねている。
【００１４】
外殻部材１１は、プラスチック成形によって製造した球状の中空部品から成り、その一部が切除されて開口１４を形成したもので、開口１４には接触面として縁１５が設けられている。結合部材１２は、インジェクション成形された円筒状のもので、２個の外殻部材１１、１１の開口１４に嵌合し、それによって両外殻部材１１、１１を結合している。外殻部材１１、１１と結合部材１２とは、嵌合しただけでも一体化することができるが、外れる恐れもあるため接着により一体化することが望ましい。
【００１５】
２個の外殻部材１１、１１を串刺し状に一体化したものの長軸方向と、結合部材１２の円筒軸方向とは一致していることが望ましく、そうであることによって起き上がりだんご玉１０の動きが正確なものになる。上記の長軸方向と円筒軸方向とがずれている場合には不正確な動き、つまり一定方向から左右にぶれるような動きとなる。
【００１６】
図３は、本考案の起き上がりだんご玉１０の動作を例示しており、図３中左端の正立状態から横に倒すように転がすと、円筒内をおもり１３が移動するに伴い、起き上がりだんご玉１０も横倒しとなり、さらに頭部を下にして逆立ちした状態となる。逆立ち状態で安定している起き上がりだんご玉をまた横に倒せば、転動して正立状態となる。右端の状態である。このように、起き上がりだんご玉１０は、静止状態では常に立った状態を維持する。
【００１７】
図４は本考案の起き上がりだんご玉２０の実施形態の例２を示しており、２個の外殻部材２１、２１とおもり２３とから成り、おもり２３の移動路となる円筒部２２を外殻部材２１、２１の内面に一体形成した例である。例示の外殻部材２１、２１は、開口２４、２４の周縁部を突き合わせて接合一体化することができるが、作業の容易化のために雌雄嵌合構造２５、２６を開口周縁部に設けている。この例２では、移動路である円筒部２２、２２が外殻部材２１、２１の内面に一体形成されているので例１のように別部品の必要がない。例２の場合も外見上は例１のものと全く同じであり（図５）、かつ同様の動作を得ることができる。なお、２７は本体内部の凹部を示しており、おもり２３を安定させることができる。
【図面の簡単な説明】
【００１８】
【図１】本考案に係る起き上がりだんご玉の例１を示す分解斜視図。
【図２】同上の断面図。
【図３】同じく動作を示す説明図。
【図４】本考案の例２を示す分解断面図。
【図５】同じく外観図。
【符号の説明】
【００１９】
１０、２０  起き上がりだんご玉
１１、２１  外殻部材
１２  結合部材
１３、２３  おもり
１４、２４  開口
２２  円筒部
【図１】
0003102206.tif 000003
【図２】
0003102206.tif 000004
【図３】
0003102206.tif 000005
【図４】
0003102206.tif 000006
【図５】
0003102206.tif 000007